(57)【要約】      （修正有）【課題】工具のサイズが多い場合でも、工具のサイズを色で直感的に把握することができる工具セットを提供する。【解決手段】複数サイズの工具１０を複数のセットに区分し、同じセット内に属する複数サイズの工具１０の着色部１３に全て異なる色を付すとともに、当該異なる複数の色と同じ色の組み合わせを複数のセットにそれぞれ適用することにより、工具１０のサイズを識別するために使用する色の数は、最大でも１つのセット内に属する工具の数と同数となるようにして、肉眼で見て互いを容易に識別可能な色の組み合わせのみで工具１０のサイズを識別することがきるようにする。【選択図】図１
0003187027.tif 000002
【実用新案登録請求の範囲】
【請求項１】
工作機械の把持部に着脱自在に取り付けられる複数サイズの工具から成る工具セットであって、
上記複数サイズの工具はそれぞれ、当該工具の一部に、サイズに応じて異なる色が付された着色部を備え、
上記複数サイズの工具は複数のセットに区分され、同じセット内に属する複数サイズの工具の上記着色部には全て異なる色が付され、当該異なる複数の色と同じ色の組み合わせが上記複数のセットにそれぞれ適用されて成ることを特徴とする識別色を有する工具セット。
【請求項２】
上記着色部は、上記工具の後端面に設けられていることを特徴とする請求項１に記載の識別色を有する工具セット。
【考案の詳細な説明】
【技術分野】
【０００１】
本考案は、識別色を有する工具セットに関し、特に、工作機械の把持部に着脱自在に取り付けられる複数サイズの工具から成る工具セットに用いて好適なものである。
【背景技術】
【０００２】
従来、ドリル、フライス、レンチ等の工具を着脱自在に把持する把持部を備え、当該把持部に所望サイズの工具を取り付けて被加工物（ワーク）の加工を行うようにした工作機械が知られている。この種の工作機械においてワークの加工を行う際には、把持部に取り付ける工具のサイズを正確に把握することが必要である。ただし、近似サイズの工具を肉眼で識別することは困難であるため、工具にサイズを刻印したり、ノギス等を使ってその都度工具のサイズを測定したりしていた。
【０００３】
ところが、工具にサイズを刻印する場合、工具自体が小さいので刻印の表示寸法も小さくならざるを得ず、非常に見にくくなる。そのため、刻印のある部分を凝視して工具のサイズを識別する必要があり、それだけ作業効率が低下する。場合によっては、サイズを取り違えてしまうこともある。一方、ノギス等を使って測定する場合は、サイズを取り違える可能性は低くなるが、一々測定しなければならないため、作業効率は著しく低下する。
【０００４】
従来、このような問題に鑑みて、工具のサイズを直感的に把握できるようにするために、サイズを色によって識別することができるようにした工具が提案されている（例えば、特許文献１〜４参照）。特許文献１に記載の小径工具は、工具本体およびシャンクからなり、シャンクの後端面に、刃先径を色分け区分した識別部材を備えた収容穴を形成している。この小径工具は、パレットのツールポストに対して、工具本体側を下向きにしてセットされる。この場合、収容穴内に備えられた識別部材が作業員の視野に入ることから、肉眼によって容易かつ確実に小径工具のサイズを把握することが可能となる。
【０００５】
特許文献２に記載の工具は、工具の後部に六角柱状の保持部を設けた六角軸付き工具であって、異なる種類または異なる寸法の工具を保持部の色または模様で識別できるようになされている。また、特許文献３に記載の工具は、種々のサイズをセットで適宜なものに収納して使用するレンチ、スパナ等の工具であって、セットで収納される各工具に夫々異なる適宜な色を着色している。さらに、特許文献４に記載の工具は、サイズ、番手、形状、形態を識別するための色彩表示部を部分的に設けて構成されている。
【先行技術文献】
【特許文献】
【０００６】
【特許文献１】特開２００２−２１９６０７号公報
【特許文献２】特開平１１−１０４２３号公報
【特許文献３】特開平８−２６７３６５号公報
【特許文献４】実用新案登録第３１２３４５５号公報
【考案の概要】
【考案が解決しようとする課題】
【０００７】
しかしながら、特許文献１〜４のように工具のサイズを色で識別する場合、工具のサイズが多くなると、使用する色の数も多くなる。例えば、０．１ｃｍ単位で０．１ｃｍから３．０ｃｍまでサイズの異なる工具を色で識別しようとすると、使用する色は全部で３０色となる。そうすると、肉眼では識別しにくい近似色を使わざるを得なくなり、工具のサイズを直感的に把握することが難しくなるという問題があった。
【０００８】
本考案は、このような問題を解決するために成されたものであり、工具のサイズが多い場合でも、工具のサイズを色で直感的に把握することができるようにすることを目的とする。
【課題を解決するための手段】
【０００９】
上記した課題を解決するために、本考案では、複数サイズの工具を複数のセットに区分し、同じセット内に属する複数サイズの工具の着色部には全て異なる色を付すとともに、当該異なる複数の色と同じ色の組み合わせを複数のセットにそれぞれ適用するようにしている。
【考案の効果】
【００１０】
上記のように構成した本考案によれば、工具のサイズを識別するために使用する色の数は、最大でも１つのセット内に属する工具の数と同数となる。これにより、肉眼で見て互いを容易に識別可能な色の組み合わせのみで工具のサイズを識別することが可能となるので、工具のサイズが多い場合でも、工具のサイズを色で直感的に把握することができるようになる。
【図面の簡単な説明】
【００１１】
【図１】本実施形態による工具セットを構成する１つの工具の構成例を示す図である。
【図２】本実施形態の工具を工作機械の把持部に取り付けた状態を示す図である。
【図３】本実施形態の工具セットを収容する収容箱の一例を示す図である。
【図４】本実施形態の収容箱の近くに設置されるカラー／サイズ対応表の一例を示す図である。
【考案を実施するための形態】
【００１２】
以下、本考案の一実施形態を図面に基づいて説明する。図１は、本実施形態による工具セットを構成する１つの工具（例えば、ドリル）の構成例を示す図であり、図１（ａ）は工具全体の構成を示す正面図、図１（ｂ）は工具の後端面を示す底面図である。
【００１３】
本実施形態の工具１０は、図２に示すように、工作機械の把持部２０に着脱自在に取り付けられるものである。このような工具１０として、サイズ（直径）の異なるものが複数用意されており、これら複数サイズの工具１０によって本実施形態の工具セットが構成されている。
【００１４】
図１（ａ）に示すように、本実施形態の工具１０は、ワークに対して実際に加工を行う部分である加工部１１と、把持部２０が有する収容穴２１に差し込まれる部分である差込部１２とを有している。また、図１（ｂ）に示すように、工具１０は、差込部１２側の後端面に、サイズに応じて異なる色が付された着色部１３を有している。
【００１５】
本実施形態では、複数サイズの工具１０を複数のセットに区分し、同じセット内に属する複数サイズの工具１０の着色部１３に全て異なる色を付し、当該異なる複数の色と同じ色の組み合わせを複数のセットにそれぞれ適用するようにしている。
【００１６】
例えば、本実施形態の工具セットが、０．１ｃｍ単位で０．１ｃｍから３．０ｃｍまでサイズ（直径）の異なる３０本の工具１０で構成されているものとする。この３０本の工具１０を普通に色で識別しようとすると、従来例で説明したように使用する色は全部で３０色となる。
【００１７】
これに対して本実施形態では、３０本の工具１０を、例えばサイズの小さい方から順に１０本ずつまとめて、３つのセットに区分する。すなわち、サイズが０．１ｃｍから１．０ｃｍまでの１０本の工具１０を第１セット、サイズが１．１ｃｍから２．０ｃｍまでの１０本の工具１０を第２セット、サイズが２．１ｃｍから３．０ｃｍまでの１０本の工具１０を第３セットに区分する。
【００１８】
そして、同じセット内に属する１０本の工具１０の着色部１３に対して全て異なる色を付す。つまり、１つのセットに対して異なる１０色を使って１０本の工具１０の着色部１３を構成する。これを３つのセットに対してそれぞれ適用する。その際、同じ１０色の組み合わせを３つのセットに対してそれぞれ適用するようにする。
【００１９】
ここで、サイズの小数第１位の値が同じ工具１０の着色部１３に対しては同じ色を付すのが好ましい。例えば、サイズが０．１ｃｍ、１．１ｃｍ、２．１ｃｍの３本の工具１０に関しては同じ色（例えば、赤色）を着色部１３に付す。同様に、サイズが０．２ｃｍ、１．２ｃｍ、２．２ｃｍの３本の工具１０に関しては同じ色（例えば、青色）を着色部１３に付す。
【００２０】
図３は、本実施形態の工具セットを収容する収容箱の一例を示す図である。図３に示すように、収容箱３０は、３つのセットに対応して３つの収容室３１〜３３を備えている。すなわち、収容室３１〜３３は、第１セットに属する１０本の工具１０（サイズが０．１ｃｍから１．０ｃｍまでのもの）を収容する第１収容室３１と、第２セットに属する１０本の工具１０（サイズが１．１ｃｍから２．０ｃｍまでのもの）を収容する第２収容室３２と、第３セットに属する１０本の工具１０（サイズが２．１ｃｍから３．０ｃｍまでのもの）を収容する第３収容室３３とを備えている。
【００２１】
図４は、収容箱３０の近くに設置されるカラー／サイズ対応表の一例を示す図である。図４に示すように、カラー／サイズ対応表４０は、１つのセット内に属する１０本の工具１０の着色部１３について、サイズの小数第１位のどの値に対してどの色を付したのかを一目で分かるようにした一覧表である。
【００２２】
すなわち、カラー／サイズ対応表４０は、サイズの少数第１位の値が“１”である工具１０（サイズが０．１ｃｍ、１．１ｃｍ、２．１ｃｍの３本の工具１０）の着色部１３に対しては赤色が付され、サイズの少数第１位の値が“２”である工具１０（サイズが０．２ｃｍ、１．２ｃｍ、２．２ｃｍの３本の工具１０）の着色部１３に対しては青色が付されているといったことが一目で分かるように構成されている。
【００２３】
このカラー／サイズ対応表４０を収容箱３０の近くに設置しておけば、第１収容室３１に収容されている工具１０で着色部１３の色が赤色のものはサイズが０．１ｃｍであり、第３収容室３３に収容されている工具１０で着色部１３の色が青色のものはサイズが２．２ｃｍであるといったように、３０本の工具１０のサイズを１０色のみで直感的に識別することができる。
【００２４】
以上詳しく説明したように、本実施形態によれば、３０本の工具１０のサイズを全て識別するために使用する色の数は１０個で済む。これにより、肉眼で見て互いを容易に識別可能な色の組み合わせのみで工具１０のサイズを識別することが可能となるので、工具１０のサイズが多い場合でも、工具１０のサイズを色で直感的に把握することができるようになる。
【００２５】
また、本実施形態によれば、工具１０の後端面に着色部１３を形成しているので、工具１０を工作機械の把持部２０に差し込んで何度も使用しているうちに、収容穴２１との摩擦によって着色部１３の色が剥げ落ちてしまうという不都合を抑止することができる。
【００２６】
なお、上記実施形態では、工具１０の例としてドリルを挙げたが、本考案はこれに限定されない。例えば、フライスやレンチなど、工作機械の把持部２０に着脱自在に取り付けて使用するものであれば、何れも本考案を適用することが可能である。
【００２７】
また、上記実施形態では、サイズの小数第１位の値が“１”〜“０”までの１０本の工具１０をまとめて１セットを構成する例について説明したが、セットの構成の仕方はこれに限定されない。すなわち、１０進法で表現されるサイズを複数のセットに区分するときには上述のまとめ方が分かりやすくて好ましいが、本考案は必ずしもこれに限定されるものではない。例えば、より少ない色の数で複数サイズの工具１０を識別したいときは、使いたい色の数に応じたまとめ方で各セットを構成すればよい。
【００２８】
その他、上記実施形態は、何れも本考案を実施するにあたっての具体化の一例を示したものに過ぎず、これによって本考案の技術的範囲が限定的に解釈されてはならないものである。すなわち、本考案はその要旨、またはその主要な特徴から逸脱することなく、様々な形で実施することができる。
【符号の説明】
【００２９】
１０  工具
１１  加工部
１２  差込部
１３  着色部
【図１】
0003187027.tif 000003
【図２】
0003187027.tif 000004
【図３】
0003187027.tif 000005
【図４】
0003187027.tif 000006